(57)【要約】      （修正有）【課題】ＢＧＭの構成やリズム、雰囲気に合った動画を簡単に記録することを可能とする。【解決手段】動画を記録する記録手段と、一つの曲が複数箇所から構成される音楽の構成に係る構成情報に基づいて、前記記録手段による動画の記録時間を決定する制御手段とを備える。前記音楽データに対応する動画が複数シーンに分割される場合、使用者が任意に記録するシーンを選択可能である。【選択図】図６
2013020686.tif 000002
【特許請求の範囲】
【請求項１】
動画を記録する記録手段と、
一つの曲が複数箇所から構成される音楽の構成に係る構成情報に基づいて、前記記録手段による動画の記録時間を決定する制御手段とを備える記録装置。
【請求項２】
前記音楽データに対応する動画が複数シーンに分割される場合、使用者が任意に記録するシーンを選択可能であることを特徴とする請求項１に記載の記録装置。
【請求項３】
前記決定された動画の記録時間を表示する表示手段を備えたことを特徴とする請求項１に記載の記録装置。
【請求項４】
前記構成情報は、前記音楽データのメロディの変化点、音楽の１小節ないしは複数小節の区切り点、の何れかに基づいて決定されることを特徴とする請求項１に記載の記録装置。
【請求項５】
取得した音楽データに対応する前記構成情報を生成する手段を備えたことを特徴とする請求項１に記載の記録装置。
【請求項６】
前記記録手段は、前記複数の箇所にそれぞれ対応した動画を識別するための付加情報を記録することを特徴とする請求項１に記載の記録装置。
【請求項７】
前記記録された動画を再生する再生手段を備え、
前記再生手段は、前記付加情報に基づいて、複数の前記記録された動画を再生する順番を決定するとともに、複数の前記動画に対応する箇所の前記音楽を再生することを特徴とする請求項６に記載の記録装置。
【発明の詳細な説明】
【技術分野】
【０００１】
本発明は記録装置に関する。
【背景技術】
【０００２】
ビデオカメラの使い方として、撮影した動画に後から音楽を合わせて鑑賞するというものがある。これには、ユーザが撮影した動画にＢＧＭが付くことによって、動画撮影の撮影や編集に不慣れなユーザでも、手軽に動画の雰囲気を本格的なものへ変化させることが出来るという利点がある。
【０００３】
現在、このようなビデオカメラの使い方をする場合には、ユーザが好きなように動画を撮影し、撮影した動画に対してＢＧＭをアフレコ記録する方法がある。また、撮影した動画を再生する際に、同時に用意された音楽データを再生する、という方法がある。
【０００４】
また、特許文献１では、動画の再生時に音楽のテンポ情報に応じて動画の再生速度を制御することにより、音楽に合わせて動画を再生表示する装置が開示されている。
【先行技術文献】
【特許文献】
【０００５】
【特許文献１】特開２００３−０３０９３２
【発明の概要】
【発明が解決しようとする課題】
【０００６】
しかしながら、上述した従来技術では、再生時に音楽を付けるため、撮影された動画のシーンの切り替わり点が音楽の構成やリズムを考慮しておらず、動画に音楽が合わないように感じてしまうことが少なくない。シーンの切り替わりが存在しない場合でも、動画の再生時間と音楽の再生時間が合わず、動画は再生が続いているのにＢＧＭが終了してしまうといったことも起きやすい。
【０００７】
特許文献１のように音楽のテンポに合わせて動画の再生速度を制御する方法でも、やはり、シーンの切り替わり点を考慮しているわけではないため、音楽構成やリズムと合わないままとなってしまう。また、動画の再生速度を速くしたり遅くしたりしても、音楽の雰囲気と、もともとの動画の内容とがミスマッチとなってしまうことも多い。
【０００８】
また、動画の長さを音楽のテンポに合わせて編集することで、シーンの切り替わり点を音楽の構成やリズムに合わせることも出来るが、動画の編集作業は手間がかかる上、音楽の雰囲気とあらかじめ撮影した動画の内容がマッチするとはやはり限らない。
【０００９】
そこで、本発明は、ＢＧＭの構成やリズム、雰囲気に合った動画を、ユーザが簡単に記録することを可能とした記録装置を提供することを目的とする。
【課題を解決するための手段】
【００１０】
記録装置は、動画を記録する記録手段と、一つの曲が複数箇所から構成される音楽の構成に係る構成情報に基づいて、前記記録手段による動画の記録時間を決定する制御手段とを備える。
【発明の効果】
【００１１】
本発明によれば、ＢＧＭの構成やリズム、雰囲気に合った動画を簡単に録することができる。
【図面の簡単な説明】
【００１２】
【図１】本発明の実施例におけるデジタルビデオカメラのブロック図である。
【図２】本発明の実施例におけるデジタルビデオカメラの音楽選択メニュー画面である。
【図３】本発明の実施例における音楽データの構成の一例である。
【図４】本発明の実施例における音楽構成データの構造と音楽構成データの一例である。
【図５】本発明の実施例におけるシーン構成リストとシーン構成リストの一例である。
【図６】本発明の実施例１におけるシステムコントローラ１０２の動作を表すフローチャートである。
【図７】本発明の実施例におけるＢＧＭ付動画対応リストの構造とそのデータの一例である。
【図８】本発明の実施例における記録するシーンに必要な記録時間表示の一例である。
【図９】本発明の実施例２におけるシステムコントローラ１０２の動作を表すフローチャートである。
【図１０】本発明の実施例２における撮影予定シーンの表示方法の一例である。
【図１１】本発明の実施例２における撮影済シーンの表示方法の一例である。
【発明を実施するための形態】
【００１３】
（実施例１）
図１は本発明の実施例における記録装置としてのデジタルビデオカメラのブロック図である。操作部１０１は、電源スイッチ、モード切り替えスイッチ、記録開始、停止を指示するスイッチ、メニュースイッチ等、ユーザが操作するための各種のスイッチを備える。システムコントローラ１０２はデジタルビデオカメラ全体を制御する。システムコントローラ１０２は、マイコンとその動作を制御するためのプログラムコード、および各種情報を一時的に格納するためのＲＡＭから成っている。記録の開始や停止といった制御は、このシステムコントローラ１０２によって制御される。撮像部１０３は、光学レンズと、光学レンズによって結像される像を光電変換する光電変換素子から構成される。撮像部１０３は、動画信号を撮影し、出力する。映像音声信号処理部１０４は、撮像部１０３から出力された動画信号を処理し、記録に適した形態に変換する。また、映像音声信号処理部１０４は、撮像部１０３から出力された動画信号を表示装置である液晶パネル１０６へと出力する。映像音声信号処理部１０４は、記録媒体であるハードディスクドライブ１０８から読み出した動画データや音声データをＮＴＳＣ等の映像信号や音声信号へと変換し、それぞれ液晶パネル１０６、スピーカー１０７へと出力する。ビットマップ生成部１０５は、文字情報やアイコン等の表示用の情報を生成する。ビットマップ生成部１０５により生成された各種の表示用の情報は、映像信号として出力され映像音声信号処理部１０４によって出力される映像に重畳される。液晶パネル１０６は、映像音声信号処理部１０４によって生成された映像信号を映像として表示する。スピーカー１０７は、映像音声信号処理部１０４によって生成された音声信号を音声として出力する。ハードディスクドライブ（ＨＤＤ）１０８は、動画信号や音声信号を記録する。また、動画のＢＧＭとするための音楽データ、音楽の構成を表す音楽構成データもここに格納されている。
【００１４】
本実施例のデジタルビデオカメラには大きく分けて二種類の動作モードが存在する。一つは、撮像部１０３によって光学レンズから得られる動画をＨＤＤ１０８に記録するための動画記録モードである。もう一つは、動画記録モードで記録された動画を再生し、液晶パネル１０６へ表示するための動画再生モードである。動画記録モードは、更に二種類の動作モードに細分することが出来る。一つは通常記録モードである。通常記録モードでは、ユーザによる記録開始の指示に応じて動画の撮影、記録を開始し、ユーザによる記録停止の指示に応じて動画の撮影、記録を停止する。
【００１５】
もう一つはＢＧＭ記録モードである。ＢＧＭ記録モードでは、ユーザが予め、動画を再生する際に使用するＢＧＭを選択する。そして、ユーザによる記録開始の指示に応じて動画の撮影、記録を開始する。その後、選択したＢＧＭに応じたタイミングでシステムコントローラ１０２により自動的に撮影、記録が停止される。なお、ＢＧＭ記録モードで記録された動画は、再生を行う場合に自動的にその動画の記録時に選択したＢＧＭのその動画に対応する箇所が再生される。
【００１６】
図２は動画のＢＧＭとする音楽を選択するための音楽選択メニュー画面である。「ＢＧＭなし」は記録する動画にＢＧＭを合わせず、通常の記録を行うための選択肢を表している。「ＢＧＭ１」〜「ＢＧＭ５」はそれぞれ別々の音楽を表し、対応する音楽データは予めハードディスクドライブ１０８に格納されている。ユーザは操作部１０１を操作して音楽選択メニュー画面を表示させ、図２で黒色の三角で表示されている選択カーソルを操作し、ＢＧＭとして使用する音楽を選択する。この画面で「ＢＧＭ１」〜「ＢＧＭ５」を選択している状態で音楽再生スイッチを押すことで、選択されている音楽を再生することが出来る。「ＢＧＭ１」〜「ＢＧＭ５」を選択している状態で、操作部１０１の決定スイッチを押すことで使用する音楽が決定され、ＢＧＭ付動画記録モードになる。「ＢＧＭなし」を選択した場合には、通常動画記録モードとなる。
【００１７】
図３はＨＤＤ１０８に格納されている音楽データの構成の一例を表す図である。本実施例では、音楽の構成を「イントロ」「Ａメロ」「Ｂメロ」「間奏」「サビ」という五種類のブロックによって構成されているものとして扱っている。なお、本実施例では説明のため、このような五種類のブロックにより音楽の構成を扱っているが、本発明は、この構成に限定されるものではない。音楽の１小節ないしは複数小節の区切り点、歌の歌い出し、歌い終わりなどの音楽的に特徴のある変化点などで区切られた構成なども考えられる。
【００１８】
このようなブロックの切り替わりが、音楽のどの部分で切り替わっているのかをデータ化したものを本実施例では音楽構成データと呼び、音楽データと対になってＨＤＤ１０８に予め格納されている。図４（ａ）はこの音楽構成データの構造を示したものであり、ブロックの名称とそのブロックの長さが対になったリストで構成されている。図４（ｂ）はこの音楽構成データの一例であり、「イントロ」部が１５秒、「Ａメロ」部が３０秒、「Ｂメロ」部が２５秒、「間奏」部が１５秒、「サビ」部が３５秒の長さであることを、このデータを利用するプログラムは知ることが出来る。
【００１９】
図５（ａ）は、ユーザが選択した音楽に対して、音楽の構成にあった動画を撮影するために必要なシーンとその長さを表すデータの構成を示したものであり、シーンの番号とそのシーンの長さが対になったリストで構成されている。本発明では、これをシーン構成リストと呼ぶ。システムコントローラ１０２は、ユーザによってＢＧＭとする音楽データが決定されると、その音楽データに対応する音楽構成データをＨＤＤ１０８から読み込む。そして、システムコントローラ１０２は、その音楽構成データをもとに、選択された音楽に適した動画を撮影するために必要なシーン数と各シーンの長さを決定する。本実施例では、選択された音楽の「イントロ」部、「Ａメロ」部、「Ｂメロ」部、「間奏」部、「サビ」部の各ブロックに対してそれぞれ１シーンを割り当てる。ただし、選択された音楽に適した動画を撮影するために必要なシーン数と各シーンの長さを決定する方法はこれに限るものではなく、例えば「イントロ」部と「Ａメロ」部をまとめて１シーンとしてもよい。決定されたシーン構成リストは、システムコントローラ１０２内のＲＡＭに書き込まれる。
【００２０】
図６は、ＢＧＭ記録モードでのシステムコントローラ１０２の動作を表すフローチャートである。なお、フローチャート中のＮは、次に撮影するシーンが何シーン目かを記憶するための変数であり、その実体はシステムコントローラ１０２内のＲＡＭ中に存在する。また、フローチャート中のＴは、次に撮影するシーンに必要な記録時間を記憶するための変数であり、実体は変数Ｎと同様にシステムコントローラ１０２内のＲＡＭ中に存在する。
【００２１】
ステップＳ６０１では、変数Ｎに１を格納する。これは、まだシーンを撮影しておらず、次に撮影するシーンが１シーン目となるためである。その後、ステップＳ６０２へ進む。
【００２２】
ステップＳ６０２では、変数ＴにＮシーン目に必要な記録時間を格納し、ステップＳ６０３へ進む。Ｎシーン目に必要な記録時間については、図５で説明したシーン構成リストが、ユーザがＢＧＭを選択した際に予めシステムコントローラ１０２のＲＡＭ上に書き込まれているため、これを参照して変数Ｔに必要時間をセットする。
【００２３】
ステップＳ６０３では、ビットマップ生成部１０５に対して指示を行い、記録時間Ｔを表示させるための映像信号を生成させる。生成された映像信号は映像音声信号処理部１０４によって撮像部からの映像に重畳され、液晶パネル１０６によって表示される。表示例を図８に示す。これにより、ユーザは次に記録するシーンに必要な記録時間がＴ秒であることを知ることが出来る。
【００２４】
ステップＳ６０４では、操作部１０１のＢＧＭ再生スイッチが押されたかどうかを判定する。ＢＧＭ再生スイッチが押された場合にはステップＳ６０５へ、押されていなければステップＳ６０８へ進む。
【００２５】
ステップＳ６０５では、映像音声信号処理部１０４に対して指示を行い、選択したＢＧＭのＮシーン目に合わせる箇所の始まりから再生する。このＮシーン目に合わせる箇所の始まりとは、１シーン目からＮ−１シーン目までの長さの合計分、ＢＧＭの先頭から経過した箇所である。
【００２６】
ステップＳ６０６では、ステップＳ６０５でＢＧＭの再生を開始してから経過した時間が、Ｔ秒を超えていればステップＳ６０７へと進む。Ｔ秒を超えていなければ、Ｔ秒経過するまで、ステップＳ６０６に留まり判定を続ける。
【００２７】
ステップＳ６０７では、ステップＳ６０６でＢＧＭの再生を始めてからＴ秒経過したと判定されたため、次のシーンに対応する部分のＢＧＭの再生が終了したと判断し、映像音声信号処理部１０４に対して指示を行いＢＧＭの再生を停止する。ＢＧＭの再生を停止した後はステップＳ６０４へと戻る。
【００２８】
ステップＳ６０４からステップＳ６０８までの動作で説明したとおり、ユーザは音楽再生スイッチを押すことで次に記録するシーンに合わせる部分のＢＧＭを聞くことが出来る。そのため、これからどのようなシーンを撮ればＢＧＭの雰囲気に合うのかをイメージしやすくなる。
【００２９】
ステップＳ６０８では、操作部１０１の録画スイッチが押されたかどうかを判定する。録画スイッチが押された場合にはステップＳ６０９へ、押されていなければステップＳ６０４へ戻る。
【００３０】
ステップＳ６０９では、映像音声信号処理部１０４に対して動画の記録開始を指示する。記録指示に従い、映像音声信号処理部１０４では撮像部１０３から入力される動画信号を符号化し、ＨＤＤ１０８に記録する。このとき、記録する動画が何番目のシーンに対応しているかを示す情報をＨＤＤ１０８に記録する。更に記録中の動画に対応する音楽（曲）と、その曲における対応箇所を示す情報を記録する。
【００３１】
図７（ａ）はこの情報の構造を表しており、使用するＢＧＭの番号とそれぞれのシーンに対応するチャプタ番号、それぞれのシーンで使用するＢＧＭは先頭から何秒経過した部分なのか、の情報のリストから成っている。本実施例ではこのリストを、ＢＧＭ付動画対応リストと呼ぶ。ここで、チャプタ番号とは、動画の記録時に個々の動画に対して一意に付けられる番号であるとする。本実施例では、Ｎシーン目に対応するＢＧＭの使用部分は、１シーン目からＮ−１シーン目までの長さの合計分、ＢＧＭの先頭から経過した箇所である。システムコントローラ１０２はこれを計算し、データに書き込む。
【００３２】
図７（ｂ）はこの情報の一例であり、使用するＢＧＭはＢＧＭ２である。１シーン目に対応する動画はチャプタ１７の動画、対応するＢＧＭの再生位置は０秒目である。２シーン目に対応する動画はチャプタ１８の動画、対応するＢＧＭの再生位置は１５秒目である。３シーン目に対応する動画はチャプタ１９の動画、対応するＢＧＭの再生位置は４５秒目である。４シーン目に対応する動画はチャプタ２０の動画、対応するＢＧＭの再生位置は７０秒目である。５シーン目に対応する動画はチャプタ２１の動画、対応するＢＧＭの再生位置は８５秒目であることを表している。録画処理を開始した後、ステップＳ６１０へと進む。
【００３３】
ステップＳ６１０では、ステップＳ６０９で録画を開始してから経過した時間が、Ｔ秒を超えていればステップＳ６１１へと進む。Ｔ秒を超えていなければ、Ｔ秒経過するまで、ステップＳ６１０に留まり判定を続ける。
【００３４】
ステップＳ６１１では、ステップＳ６１０で録画を開始してからＴ秒経過したと判定されたため、撮影中のシーンに必要な時間分の録画が終了したと判断し、映像音声信号処理部１０４に対して指示を行い録画を停止する。録画を停止した後はステップＳ６１２へと進む。
【００３５】
ステップＳ６０８からステップＳ６１１までの動作で説明したとおり、ユーザ操作により記録を開始すると、そのシーン合わせるＢＧＭに必要な時間だけ記録を行い、自動的に記録が停止する。このため、シーンの切り替わり目は自動的にＢＧＭの構成に合うようになる。
【００３６】
ステップＳ６１２では、変数Ｎの示す数が必要なシーン数と同じであるかを判定する。同じである場合には、ＢＧＭに合わせるために必要な全てのシーンの撮影が終了したと判断し、ここで終了となる。同じでない場合には、必要な全てのシーンの撮影がまだ終了していないと判断し、ステップＳ６１３へと進む。ステップＳ６１３では、変数Ｎに格納されている数を１増やし、ステップＳ６０２へと戻る。これにより、ここまでのフローチャートで説明した流れを必要なシーン数分繰り返すこととなる。
【００３７】
図６のフローチャートに沿って記録された動画は、デジタルビデオカメラが動画再生モードとして動作している場合に再生することが出来る。再生モード時にユーザが操作部１０１を操作して音楽再生を指示すると、現在選択されているＢＧＭに対応づけて記録された動画が、そのシーン番号順に再生され、同時にＢＧＭの対応する箇所が再生される。この再生する動画を選び出す作業は、記録時に作成されたＢＧＭ付動画対応リストを参照して行われる。
【００３８】
本実施例では、ＢＧＭに対応する動画をＢＧＭ付動画対応リストによって管理しているが、一般的なデジタルビデオカメラで利用されているプレイリストに、動画撮影時に順次撮影する動画を登録する方式であっても良い。さらにこのプレイリストに対応するＢＧＭの情報を付加し、プレイリスト再生時にその情報を参照して再生開始と同時にＢＧＭを再生するといった利用方法が考えられる。
【００３９】
なお、本実施例では、音楽構成データは予めＨＤＤ１０８に音楽データとともに記録されている。ただし、本発明はこの構成に限るものではなく、例えば音楽データをシステムコントローラ１０２によって解析し、音楽データ中の音量が急激に変化する点や、音楽の特定の周波数成分が多くなる点などを抽出し、それらの点を音楽構成データとして自動的に生成するといった構成も考えられる。さらに、音楽を再生しながらユーザが任意の箇所の再生中に決定スイッチ等を操作することで、音楽構成データを作成するといった構成も考えられる。
【００４０】
この音楽構成データについて、本実施例では音楽データとは別に、対応する音楽構成データがハードディスクドライブ１０８に記録されていることを前提としているが、音楽データのヘッダ部分に対応する音楽構成データを付加する構成でも良い。
【００４１】
以上に説明したように、本実施例のデジタルビデオカメラによれば、ユーザが予め動画の再生時に使用するＢＧＭを選択しておくことによって、選択したＢＧＭに適したシーン数とシーンの長さを判断し、記録開始後、必要なシーンの長さが記録された時点で自動的に記録を停止することにより、シーンの切り替わり目が自動的にＢＧＭの構成に合うようになる。
【００４２】
また、ユーザは音楽再生スイッチを押すことで次に記録するシーンに合わせる部分のＢＧＭを聞くことが出来るため、これからどのようなシーンを撮ればＢＧＭの雰囲気に合うのかをイメージしやすくなり、よりＢＧＭに適したシーンを撮影しやすくなる。
【００４３】
（実施例２）
図９は、システムコントローラ１０２の他の動作を表すフローチャートである。実施例１と異なり、本実施例ではユーザがシーンを撮影する順番を自由に変えられるようになっている。そのために、ＢＧＭ記録モードでは、図１０のように液晶パネル１０６に撮影予定のシーンが図示される。ここでは、一本の帯の中を複数の領域を区切り、その一区切りを一つのシーンとして、一番左の区切りから１シーン目、その隣を２シーン目…、として表示している。また、次にどのシーンを撮影するかをユーザが選択可能となるように、同じく図１０に示すようなシーン選択カーソルを、シーンを囲う太枠として表示している。ユーザは操作部１０１を操作し、次に撮影するシーンを選択する。
【００４４】
なお、フローチャート中のＮは、次に撮影するシーンが何シーン目かを記憶するための変数であり、その実体はシステムコントローラ１０２内のＲＡＭ中に存在する。また、フローチャート中のＴは、次に撮影するシーンに必要な記録時間を記憶するための変数であり、実体は変数Ｎと同様にシステムコントローラ１０２内のＲＡＭ中に存在する。
【００４５】
ステップＳ９０１では、変数Ｎに１を格納する。これは、まだシーンを撮影しておらず、次に撮影するシーンが１シーン目となるためである。その後、ステップＳ９０２へ進む。ステップＳ９０２では、次に撮影するシーンがＮシーン目であるとユーザが分かるように、Ｎシーン目を選択状態として表示する。図１０はその表示の一例であり、選択中のシーンをシーン選択カーソルというカーソル枠で囲んで表示している。その後、ステップＳ９０３へ進む。
【００４６】
ステップＳ９０３では、操作部１０１の次シーン選択スイッチが押されたかどうかを判定する。次シーン選択スイッチが押された場合にはステップＳ９０４へ、押されていなければステップＳ９０６へ進む。
【００４７】
ステップＳ９０４では、現在変数Ｎに格納されている値が、必要なシーン数よりも小さい場合にのみステップＳ９０５へ進み、そうでなければ、ステップＳ９０２へ戻す。これは、変数Ｎに格納されている値が必要なシーン数以上の場合、現在選択中のシーンより先のシーンが存在しないためである。ステップＳ９０５では、変数Ｎに格納されている数を１増やし、ステップＳ９０２へと戻る。これにより、次に撮影するシーンは一つ先のシーンとなる。
【００４８】
ステップＳ９０６では、操作部１０１の前シーン選択スイッチが押されたかどうかを判定する。前シーン選択スイッチが押された場合にはステップＳ９０６へ、押されていなければステップＳ９０７へ進む。ステップＳ９０７では、現在変数Ｎに格納されている値が、２より大きい場合にのみステップＳ９０８へ進み、そうでなければ、ステップＳ９０２へ戻す。これは、変数Ｎに格納されている値が１の場合、現在選択中のシーンが最初のシーンとなり、これより前のシーンが存在しないためである。
【００４９】
ステップＳ９０８では、変数Ｎに格納されている数を１減らし、ステップＳ９０２へと戻る。これにより、次に撮影するシーンは一つ前のシーンとなる。ステップＳ９０９では、変数ＴにＮシーン目に必要な記録時間を格納し、ステップＳ９１０へ進む。Ｎシーン目に必要な記録時間については、図５で説明したシーン構成リストが、ユーザがＢＧＭを選択した際に予めシステムコントローラ１０２のＲＡＭ上に書き込まれているため、これを参照して変数Ｔに必要時間をセットする。
【００５０】
ステップＳ９１０では、操作部１０１のＢＧＭ再生スイッチが押されたかどうかを判定する。ＢＧＭ再生スイッチが押された場合にはステップＳ９１１へ、押されていなければステップＳ９１４へ進む。ステップＳ９１１では、映像音声信号処理部１０４に対して指示を行い、選択したＢＧＭのＮシーン目に合わせる箇所の始まりから再生する。このＮシーン目に合わせる箇所の始まりとは、１シーン目からＮ−１シーン目までの長さの合計分、ＢＧＭの先頭から経過した箇所である。ステップＳ９１２では、ステップＳ９１１でＢＧＭの再生を開始してから経過した時間が、Ｔ秒を超えていればステップＳ９１３へと進む。Ｔ秒を超えていなければ、Ｔ秒経過するまで、ステップＳ９１２に留まり判定を続ける。
【００５１】
ステップＳ９１３では、ステップＳ９１２でＢＧＭの再生を始めてからＴ秒経過したと判定されたため、次のシーンに対応する部分のＢＧＭの再生が終了したと判断し、映像音声信号処理部１０４に対して指示を行いＢＧＭの再生を停止する。ＢＧＭの再生を停止した後はステップＳ９０２へと戻る。
【００５２】
ステップＳ９１４では、操作部１０１の録画スイッチが押されたかどうかを判定する。録画スイッチが押された場合にはステップＳ９１５へ、押されていなければステップＳ９０２へ戻る。ステップＳ９１５では、映像音声信号処理部１０４に対して録画指示を行う。録画指示に従い、映像音声信号処理部１０４では撮像部１０３から入力される動画信号をＨＤＤ１０８に記録する。このとき、記録する動画に対応するＢＧＭの曲を識別する情報も記録する。また、対応した曲のうち、対応する箇所を示す情報も記録する。これについては実施例１での説明と同様である。なお、Ｎシーン目を既に記録済みだった場合、記録済みのＮシーン目の動画は削除され、代わりにここで記録開始された動画がＮシーン目の動画として扱われる。録画処理を開始した後、ステップＳ９１６へと進む。ステップＳ９１６では、ステップＳ９１５で録画を開始してから経過した時間が、Ｔ秒を超えていればステップＳ９１７へと進む。Ｔ秒を超えていなければ、Ｔ秒経過するまで、ステップＳ９１６に留まり判定を続ける。
【００５３】
ステップＳ９１７では、ステップＳ９１６で録画を開始してからＴ秒経過したと判定されたため、撮影中のシーンに必要な時間分の録画が終了したと判断し、映像音声信号処理部１０４に対して指示を行い録画を停止する。録画を停止した後はステップＳ９１８へと進む。
【００５４】
ステップＳ９１８では、Ｎシーン目が撮影済みであるとユーザが分かるように、Ｎシーン目の表示を変化させる。図１１はその表示の一例であり、撮影済みのシーンの色を未撮影シーンの色とは別の色で表示している。その表示を変化させた後、ステップＳ９１９へ進む。
【００５５】
ステップＳ９１９では、全シーンの録画が終了したかどうかをチェックする。全シーンの録画が終了している場合はここで終了となる。そうでなければ、ステップＳ９０２に戻る。
【００５６】
以上に説明したように、本実施例のデジタルビデオカメラによれば、ユーザが予め動画の再生時に使用するＢＧＭを選択しておく。そして、選択したＢＧＭに適したシーン数とシーンの長さを判断し、記録開始後、必要なシーンの長さが記録された時点で自動的に記録を停止する。これにより、シーンの切り替わり目が自動的にＢＧＭの構成に合うようになる。
【００５７】
また、ユーザは撮影開始前に次に記録するシーンに合わせる部分のＢＧＭを聞くことが出来る。そのため、これからどのようなシーンを撮ればＢＧＭの雰囲気に合うのかをイメージしやすくなり、よりＢＧＭに適したシーンを撮影しやすくなる。
【００５８】
さらに、ユーザはどのシーンから撮影するかを任意に選択出来るため、ユーザが撮影しようと考えている場面をＢＧＭ中の雰囲気の合う部分に当てはめることが出来る。
【００５９】
以上、本発明の好ましい実施形態について説明したが、本発明はこれらの実施形態に限定されず、その要旨の範囲内で種々の変形及び変更が可能である。
【００６０】
この様に、本発明の実施形態では、動画を記録する記録手段と、一つの曲が複数箇所から構成される音楽の構成に係る構成情報に基づいて、記録手段による動画の記録時間を決定する制御手段とを備える。また、音楽データに対応する動画が複数シーンに分割される場合、使用者が任意に記録するシーンを選択可能である。また、決定された動画の記録時間を表示する表示手段を備える。また、構成情報は、音楽データのメロディの変化点、音楽の１小節ないしは複数小節の区切り点の何れかに基づいて決定される。また、取得した音楽データに対応する前記構成情報を生成する手段を備える。また、記録手段は、前記複数の箇所にそれぞれ対応した動画を識別するための付加情報を記録する。また、記録された動画を再生する再生手段を備え、再生手段は、付加情報に基づいて、複数の前記記録された動画を再生する順番を決定するとともに、複数の動画に対応する箇所の音楽を再生する。
【図１】
2013020686.tif 000003
【図２】
2013020686.tif 000004
【図３】
2013020686.tif 000005
【図４】
2013020686.tif 000006
【図５】
2013020686.tif 000007
【図６】
2013020686.tif 000008
【図７】
2013020686.tif 000009
【図８】
2013020686.tif 000010
【図９】
2013020686.tif 000011
【図１０】
2013020686.tif 000012
【図１１】
2013020686.tif 000013